(57)【要約】【課題】  モータを小型化した場合に、冷却風の風窓を増設し、排出効率を増加させつつも粉塵等の異物の侵入を抑制することが可能な電動工具の提供。【解決手段】  インパクトドライバ１は、モータハウジング２１の内周面から半径方向内方に突出しモータ４を収容するモータ室ＭＣとファン５を収容するファン室ＦＣとに該ハウジング内を仕切る隔壁２１を有する。隔壁は吸気孔２１ａから吸入された外気をファン５に導入する。隔壁の一部がモータのファン側の部分とモータの回転軸方向において重なった位置に設けられる。排気孔２１ｃはモータハウジング２１の肉厚方向において折れ曲がり形状をなす。【選択図】図４
2014117792.tif 000002
【特許請求の範囲】
【請求項１】
先端工具を駆動するための回転軸を有するモータと、
該回転軸に固定され、回転軸と一体に回転可能なファンと、
該モータの外殻を覆い、吸気孔と排気孔が形成されたハウジングと、
該ハウジングの内周面から半径方向内方に突出し、該モータを収容するモータ室と該ファンを収容するファン室とに該ハウジング内を仕切る隔壁とを有し、
該隔壁の一部が、該モータのファン側の部分と該回転軸方向において重なった位置に設けられていることを特徴とする電動工具。
【請求項２】
該隔壁は該ハウジングと一体のリング状のリブにより構成されていることを特徴とする請求項１に記載の電動工具。
【請求項３】
該隔壁の厚さは、該隔壁の内周面から該ハウジング内周面に近づくにつれて徐々に該モータ室側に増加しており、該ハウジング内周面側の該隔壁の部分が、該モータのファン側の部分と該回転軸方向において重なった位置にあることを特徴とする請求項１に記載の電動工具。
【請求項４】
該ファンは遠心ファンであり、該排気孔は該遠心ファンの半径方向外方に位置していることを特徴とする請求項１乃至３のいずれか一に記載の電動工具。
【請求項５】
該排気孔は該ハウジングの肉厚方向において折れ曲がり形状をなすことを特徴とする請求項１乃至４のいずれか一に記載の電動工具。
【請求項６】
先端工具を駆動するための回転軸を有するモータと、
該回転軸に固定され、回転軸と一体に回転可能なファンと、
該モータの外殻を覆い、吸気孔と排気孔が形成されたハウジングと、を有し、
該排気孔は該ハウジングの肉厚方向において折れ曲がり形状をなすことを特徴とする電動工具。
【請求項７】
該ハウジングは複数の分割ハウジングを突き合わせて構成され、該排気孔は突き合わせ面に形成されていることを特徴とする請求項６に記載の電動工具。
【請求項８】
該排気孔は該ハウジングの外面側に出口を有し、該出口は、該先端工具側に向いていることを特徴とする請求項６又は７に記載の電動工具。
【請求項９】
該ファンは遠心ファンであり、該排気孔は該遠心ファンの半径方向外方に位置していることを特徴とする請求項６乃至８のいずれか一に記載の電動工具。
【発明の詳細な説明】
【技術分野】
【０００１】
本発明は、モータを冷却するための冷却ファンを備えた手持式の電動工具に関する。
【背景技術】
【０００２】
一般に、手持式の電動工具例えばインパクト工具は、小形化と高出力化の要望が高い。
電動工具の小型化を実現するためには、モータや冷却ファンの小型化、冷却風の排出効率の増加、等が望まれる。特許文献１は、冷却風の排出効率を増加させる技術として、電動工具内部での循環流を低減させる構造を提案している。
【０００３】
また、手持式の電動工具は屋外で使用されることも多く、粉塵や降雨から保護する機能が求められている。特許文献２は、粉塵などが工具内部に流入しにくい構造について記載している。
【先行技術文献】
【特許文献】
【０００４】
【特許文献１】特開２００６−３１５１２１号公報
【特許文献２】特開２０１０−２６４５３４号公報
【発明の概要】
【発明が解決しようとする課題】
【０００５】
ここで、モータを小型化した場合には、高出力化の要請からモータの発熱量が増加し、耐久性が問題となる。また、冷却ファンを小型化した場合には、冷却ファンの冷却風量低下が生じ、同様にモータの温度が高温となり、耐久性が問題となる。
【０００６】
モータの小型化に応じた冷却風量の増加、もしくは、冷却ファンの小型化に応じた冷却風量の確保を目的として、モータを収容するハウジングに冷却風の排気孔（風窓）を増設し、排出効率を増加させることが考えられる。しかし、排気孔を増設した場合においては、工具内部に開口する面積が増加するため、粉塵等の異物が工具内部に侵入しやくすなり、耐久性が問題となる。
【０００７】
そこで本発明は、小型化が実現できる電動工具を提供することを目的とする。本発明はまた、モータを小型化した場合に、冷却風の排気孔を増設し、排出効率を増加させつつも粉塵等の異物の侵入を抑制することが可能な電動工具を提供することを目的とする。
【課題を解決するための手段】
【０００８】
上記目的を達成するために本発明は、先端工具を駆動するための回転軸を有するモータと、該回転軸に固定され、回転軸と一体に回転可能なファンと、該モータの外殻を覆い、吸気孔と排気孔が形成されたハウジングと、該ハウジングの内周面から半径方向内方に突出し、該モータを収容するモータ室と該ファンを収容するファン室とに該ハウジング内を仕切る隔壁とを有し、該隔壁の一部が、該モータのファン側の部分と該回転軸方向において重なった位置に設けられていることを特徴とする電動工具を提供している。
【０００９】
隔壁の一部が、モータのファン側の部分と回転軸方向において重なった位置に設けられていることから、重なっている長さだけ、回転軸の軸方向における電動工具の長さを短縮でき、小型の電動工具を提供できる。そのため、モータを小型にすることなく小型の電動工具が提供でき、また、モータを小型にすれば電動工具を更に小型化することができる。
【００１０】
ここで、該隔壁は該ハウジングと一体のリング状のリブにより構成されている。かかる構成により、一体成形による製造が容易である。
【００１１】
また、該隔壁の厚さは、該隔壁の内周面から該ハウジング内周面に近づくにつれて徐々に該モータ室側に増加しており、該ハウジング内周面側の該隔壁の部分が、該モータのファン側の部分と該回転軸方向において重なった位置にある。
【００１２】
隔壁の厚さが、隔壁の内周面からハウジング内周面に近づくにつれて徐々にモータ室側に増加していることから、隔壁のモータ室側の面が隔壁の内周面に向かうにつれてファン室方向に傾斜していることになる。そのことにより、吸気孔から流入した空気が良好にファンの内径側に誘導でき、ファンが送風する効率を向上させつつ、隔壁を薄肉化できる。また隔壁の肉厚が増加する方向はモータ室側であるので、モータ室のデットスペースを有効に活用できる。また、隔壁をハウジングと一体とすれば、隔壁のハウジングとの接続部分(根元部分)が肉厚のため、接続部分が振動等により破損することを抑制することができる。
【００１３】
またかかる形状によれば、モータ室側であってハウジング内周面側の隔壁の部分は、回転軸の軸方向でみたときモータのファン側の部分と重なって配置することが可能となる。よって回転軸の軸方向における電動工具の長さを重なっているぶんだけ短縮できる。
【００１４】
また、該ファンは遠心ファンであり、該排気孔は該遠心ファンの半径方向外方に位置している。かかる構成によれば、遠心ファンの空気排出方向の直下流側に排気孔が位置することとなり、排出効率を向上できる。
【００１５】
また、該排気孔は該ハウジングの肉厚方向において折れ曲がり形状をなす。かかる構成により、排気孔を通じての外部からのハウジング内空間への異物の侵入を阻止または抑制することができる。排気孔を通じて異物がハウジング内に進入するのを阻止または抑制できるので、排気孔の数を増やしても異物の侵入の可能性が減るので、小型のモータを使用したとしても排気効率を高めることができ、高出力の電動工具を提供できる。
【００１６】
本発明はまた、先端工具を駆動するための回転軸を有するモータと、該回転軸に固定され、回転軸と一体に回転可能なファンと、該モータの外殻を覆い、吸気孔と排気孔が形成されたハウジングと、を有し、該排気孔は該ハウジングの肉厚方向において折れ曲がり形状をなすことを特徴とする電動工具を提供している。
【００１７】
上述したように、排気孔はハウジングの肉厚方向において折れ曲がり形状をなすので、排気孔を通じての外部からのハウジング内空間への異物の侵入を阻止または抑制することができる。排気孔を通じて異物がハウジング内に進入するのを阻止または抑制できるので、排気孔の数を増やしても異物の侵入の可能性が減るので、小型のモータを使用したとしても排気効率を高めることができ、高出力の電動工具を提供できる。
【００１８】
ここで、該ハウジングは複数の分割ハウジングを突き合わせて構成され、該排気孔は突き合せ面に形成されている。かかる構成によれば、折れ曲がり形状の排気孔であっても、その成形が容易となる。
【００１９】
また、該排気孔は該ハウジングの外面側に出口を有し、該出口は、該先端工具側に向いている。かかる構成によれば、排気孔出口から噴出する空気にて被加工物の切屑等を吹き飛ばすことができ、加工の視認性を向上できる。また、排気孔出口からの空気が作業者側に噴出することがないため作業の邪魔にならない。
【００２０】
また、該ファンは遠心ファンであり、該排気孔は該遠心ファンの半径方向外方に位置している。かかる構成によれば、遠心ファンの空気排出方向の直下流側に排気孔が位置することとなり、排出効率を向上できる。
【発明の効果】
【００２１】
本発明の電動工具によると、隔壁の一部が、モータのファン側の部分と回転軸方向において重なった位置に設けられていることから、電動工具の長さを短縮でき、小型の電動工具を提供できる。そのため、モータを小型にすることなく小型の電動工具が提供でき、モータを小型にすれば電動工具を更に小型化することができる。
【００２２】
また、冷却風の排出通路が折れ曲がり部を有することで、冷却風排気孔の増設が可能であり、排出効率を増加させつつ、ファン室内への粉塵等の異物の侵入を抑制し、モータを小型化する事に応じて冷却風量を増加させたり、冷却ファンを小型化しても冷却風量を確保することができ、製品を小型化することが可能となる。
【図面の簡単な説明】
【００２３】
【図１】本発明の第１の実施の形態による電動工具であるインパクトドライバの斜視図。
【図２】本発明の第１の実施の形態によるインパクトドライバの断面図。
【図３】本発明の第１の実施の形態によるインパクトドライバにおいて冷却用空気の流れを示す部分断面図。
【図４】本発明の第１の実施の形態によるインパクトドライバにおける要部を示す部分断面図。
【図５】本発明の第１の実施の形態によるインパクトドライバの平面図。
【図６】本発明の第１の実施の形態によるインパクトドライバの一部断面平面図。
【図７】本発明の第２の実施の形態によるインパクトドライバにおいて冷却用空気の流れを示す部分断面図。
【図８】本発明の第３の実施の形態によるインパクトドライバの要部を示す部分断面図。
【図９】本発明の第４の実施の形態によるインパクトドライバの要部を示す部分断面図。
【発明を実施するための形態】
【００２４】
本発明の電動工具をコードレスタイプのインパクトドライバに適用した第１の実施の形態について、図１乃至図６に基づき説明する。図１に示されるように、インパクトドライバ１は、ハウジング２とハウジング２の下方に着脱可能な電池パックケース２が設けられる。また図２に示されるように、ハウジング２内には、モータ４と、冷却ファン５と、図示せぬ先端工具に動力を伝達する動力伝達機構部６等が収容されている。
【００２５】
ハウジング２は樹脂製であってインパクトドライバ１の外郭をなしており、筒状のモータハウジング２１と、モータハウジング２１から下方に延出されるハンドルハウジング２２と、ハンドルハウジング２２の下部に接続される基板収容部２３とから主に構成されている。以下の説明においては、先端工具側を前側、モータ４側を後側と定義する。また、モータハウジング２１に対してハンドルハウジング２２が延出している方向を下方と定義し、逆を上方と定義する。
【００２６】
ハウジング２は右側ハウジング２Ａと左側ハウジング２Ｂとにより構成される２分割構造であり、ハウジング２の左右方向中央において前後方向及び上下方向に延びている面が合せ面(分割面)２ａである(図５)。両ハウジング２Ａ、２Ｂは図示せぬネジで互いに固定されている。
【００２７】
右側ハウジング２Ａと左側ハウジング２Ｂのモータハウジング２１相当位置において、それぞれの後部にはモータ４を冷却するため外気をハウジング２内に取り入れる吸気孔２１ａ(図２)が形成されており、モータハウジング２１の側面側前部には複数の主排気孔２１ｂが形成されている。また、上述した合せ面２ａにおいて、モータハウジング２１の上部に相当する位置には、副排気孔２１ｃが形成されている。副排気孔２１ｃの詳細については後述する。なお主排気孔２１ｂよりも後方側のモータハウジング２１の両側面にも、複数の吸気孔２１ａ(図５)が形成されている。
【００２８】
モータハウジング２１の前側内部には動力伝達機構部６が収容される金属製のハンマケース２４が配置されている。ハンマケース２４は、前方に向かうに従って徐々に径が細くなる略漏斗形状をなしており、前端部分には開口２４ａが形成されている。
【００２９】
モータ４は、駆動源となるブラシレスＤＣモータであって、前後方向に延び、軸受を介してモータハウジング２１に回転可能に支承される出力軸である回転軸４１と、回転軸４１に固定され複数の永久磁石４２を有するロータ４３と、ロータ４３を囲むように配置され複数のステータコイルコイル４４を備えるステータ４５と、を有する。ステータコイル４４は例えば、スター結線された３相コイルである。モータ４をブラシレスモータとすることで、整流子といった電気的摺動部がなくなるため、防塵の効果のみならず、耐水の効果も持たすことが可能となり、屋外機器として、高い耐久性を実現する事が可能となる。
【００３０】
モータ４のロータ４３を回転駆動させるためのモータ駆動回路装置７が、ステータ４５の後面に位置し、吸気孔２１ａに対向する位置に設けられている。モータ駆動回路装置７は、ブラシレスモータ４のステータコイル４４に電気的に接続され、ステータコイル４４に駆動電流を通電するための周知のブリッジ回路からなるインバータ回路である。
【００３１】
冷却ファン５は遠心ファンであり、回転軸４１と同軸的に回転軸４１の前側部に固定されている。冷却ファン５はその回転によりモータハウジング２１内に冷却風を生成してモータ４やモータ駆動回路装置７を冷却するために設けられている。上述した複数の主排気孔２１ｂは、遠心ファン５の半径方向外方に位置している。
【００３２】
モータハウジング２１の内面から内方に突出するリング状のリブ２１Ａが、隔壁２１としてモータハウジング２１と一体に成形されている。リブ２１Ａは、モータハウジング２１内の空間をモータ室ＭＣとファン室ＦＣとに仕切っており、また、吸気孔２１ａから導入された外気をモータ４の外殻に沿わせつつファン５の内径側に誘導する機能を有する。リブ２１Ａの詳細については後述する。
【００３３】
動力伝達機構部６は、モータ４側から順に減速機構８、インパクト機構９、アンビル部１０の順でモータ４の回転軸４１の軸方向に並んである。減速機構８は、回転軸４１と一体回転するサンギヤ８１と、サンギヤ８１に噛合する遊星ギア８２と、遊星ギヤ８２と噛合するリングギア８２とで構成される。サンギヤ８１の回転により、遊星ギヤ８２はサンギヤ８１の回りを周回する。
【００３４】
インパクト機構部９は、スピンドル９１、ハンマ９２、スプリング９３を有する。スピンドル９１は、遊星ギヤ８２の周回運動によって回転軸４１と同軸の位置で回転する。ハンマ９２は、スピンドル９１上に前後摺動可能に配され、その前端に一対の衝突部９２Ａを備えている。また、ハンマ９２は、バネ９３により前方に付勢されて打撃力が与えられ、バネ９３の付勢力に反して後方に移動することも可能に構成されている。
【００３５】
アンビル部１０は、ハンマ９２の前方に配置されており、ハンマケース２４の開口２４ａから前方に突出しており、ハンマ９２による回転打撃力が与えられる。アンビル部１０は、先端工具保持部１１と、アンビル１２とから主に構成されている。先端工具保持部１１１は、円筒状に構成され、ハンマケース２４に回転可能に支持されている。先端工具保持部１１には、図示せぬビット(先端工具)が挿入される保持孔１１ａが前後方向へ穿設されており、先端工具保持部１１の前端部分には、図示せぬビットを保持するチャック１３設けられている。ここで先端工具は例えばドライバビットやボルト締付用ビットである。
【００３６】
アンビル１２は、先端工具保持部１１の後方であってハンマケース２４内に先端工具保持部１１と一体に構成されており、先端工具保持部１１の回転中心に対して互いに直径方向反対側に配置された一対の被衝突部１２Ａを有している。
【００３７】
ハンマ９２が回転すると、一方の衝突部９２Ａと一方の被衝突部１２Ａとが衝突すると同時に、他方の衝突部９２Ａと他方の被衝突部１２Ａとが衝突し、これによりハンマ９２の回転力がアンビル１２に伝達され、アンビル１２に打撃が与えられる。また、衝突部９２Ａと被衝突部１２Ａとの衝突後、ハンマ９２はバネ９３の付勢力に抗して回転しながら後退する。そして、衝突部９２Ａが被衝突部１２Ａを乗り越えると、バネ９３に蓄えられた弾性エネルギーが解放されてハンマ９２は前方に移動し、再び、衝突部９２Ａと被衝突部１２Ａとが衝突することとなる。
【００３８】
ハンドルハウジング２２は略筒状をなし、その上端がモータハウジング２１に接続され、下端が基板収容部２３に接続されている。ハンドルハウジング２２には、電子スイッチであるトリガ１５が設けられており、トリガ１５はハンドルハウジング２２内に収容されたスイッチ機構１６と接続している。トリガ１５によって、モータ４への電力の供給と遮断とを切替えている。
【００３９】
基板収容部２３には、スイッチ機構１６に接続された制御回路部１７が収容されている。制御回路１７はＣＰＵ等を有し、モータ駆動回路装置７に接続されてモータ駆動回路装置７を制御している。
【００４０】
モータ４の駆動電源となる電池パックケース３は、ハンドルハウジング２２の下端部に着脱可能に装着されている。電池パックケース３は、リチウムイオン二次電池、ニッケル・カドミウム二次電池等からなる電池パック本体を収容し、電池パック本体の大半は基板収容部２３内に挿入され、収容される。電池パックケース３は、トリガ１５介してモータ駆動回路装置７に電気的接続されている。
【００４１】
次に、インパクトドライバ１の動作についてネジを締める場合について説明する。作業者がトリガ１５を引くと、その引き代に応じた回転数でモータ４が回転する。これと同時に冷却ファン５も回転して、吸気孔２１ａからモータハウジング２１内に外気が取込まれる。この外気は、モータ駆動回路装置７やモータ４を冷却して主排気孔２１ｂと副排気孔２１ｃとから外部に排出される。
【００４２】
モータ４が回転することによって、回転軸４１から伝達されたモータ４の回転力を遊星ギア８２とリングギア８３で減速し、その減速した回転力をスピンドル９１に伝達する。ネジ締め中にアンビル１２に所定以上の負荷トルクがかかるとスプリング９３の作用によりハンマ９２は回転力を打撃力へと変換する。これによりハンマ９２はアンビル１２に装着されている先端工具に回転打撃力を与えてネジを締め付けることができる。作業者がトリガ１５を離すことによりモータ４は停止する。
【００４３】
次に、隔壁２１Ａと副排気孔２１ｃ及び冷却空気の流れについて図３乃至図６に基づき説明する。上述したように隔壁２１Ａは、モータハウジング２１内の空間をモータ室ＭＣとファン室ＦＣとに仕切っており、また、吸気孔２１ａから導入された外気をモータ４の外殻に沿わせつつファン５の内径側に誘導する機能を有する。隔壁２１Ａはファン５の回転軸心を中心としたリング状のリブによって構成され、モータハウジング２１の内周面から半径方向内方に突出している。
【００４４】
ここで、隔壁２１Ａの一部は、モータ４のファン５側の部分と回転軸４１方向において重なった位置に設けられている。具体的には、隔壁２１Ａの厚さは、隔壁２１Ａの内周面からモータハウジング２１の内周面に近づくにつれて徐々にモータ室ＭＣ側に増加しており、モータハウジング２１内周面側の隔壁２１Ａの部分が、モータ４のファン５側の部分(ステータコイル４４の部分)と回転軸４１方向において重なった位置にある。即ち図４において、長さＬの部分が重なっている。隔壁２１Ａの一部が、モータ４のファン５側の部分と回転軸４１方向において重なった位置に設けられていることから、重なっている長さＬだけ、回転軸３１の軸方向における電動工具１の長さを短縮でき、小型の電動工具を提供できる。そのため、モータを小型にすることなく小型の電動工具が提供でき、また、モータを小型にすれば電動工具を更に小型化することができる。
【００４５】
また、隔壁２１Ａの厚さが、隔壁２１Ａの内周面からモータハウジング２１内周面に近づくにつれて徐々にモータ室ＭＣ側に増加していることから、隔壁２１Ａのモータ室ＭＣ側の面は、隔壁２１Ａの内周面に向かうにつれてファン室ＦＣ方向に傾斜していることになる。そのことにより、吸気孔２１ａから流入した空気がモータ４の外殻に沿って通過して、図３の矢印Ｆ出示されるように、良好にファン５の内径側に空気を誘導でき、ファンが送風する効率を向上させつつ、隔壁２１Ａを薄肉化できる。また隔壁２１Ａの肉厚が増加する方向はモータ室ＭＣ側であるので、モータ室ＭＣのデットスペースを有効に活用できる。また、ブラシレスモータ４はステータ４５の外周部（ステータコイル４４の外側）にデッドスペースがあり、このデッドスペースに隔壁２１Ａの内径側から外径側に従って肉厚を増した部分を配設できるため、製品を小型化することが可能となる。また、隔壁２１Ａはモータハウジング２１と一体成形が可能であり、製造が安価となる。
【００４６】
上述したように、主排気孔である複数の排気孔２１ｂの他に、モータハウジング２１の上部には副排気孔２１ｃが形成されている。図５、図６に示されるように、副排気孔２１ｃは、右側ハウジング２Ａと左側ハウジング２Ｂの双方に設けられ、いずれも、左側ハウジング５０１と右側ハウジング５０２の合せ面に対し、開口するように設けられ、それぞれの合せ面が突き合わされて一つの副排気孔２１ｃとなる。また副排気孔２１ｃは、遠心ファン５の半径方向外方に位置している。
【００４７】
副排気孔２１ｃは、図４に示されるようにクランク状の折れ曲がり形状をなす。具体的には、モータハウジング２１の肉厚において、ファン室ＦＣに開口し、ファン５の半径方向に延びる第１通路部分２１ｃ１と、第１通路部分２１ｃ１に接続されて第１通路部分２１ｃ１に対して略直角に軸方方向前方に延びる第２通路部分２１ｃ２と、第２通路部分２１ｃ２に接続され第２通路部分２１ｃ２に対して略直角に半径方向外方に延びて外気に開口する第３通路部分２１ｃ３とによる折れ曲がり形状である。
【００４８】
かかる形状によって、外部からの粉塵などの異物のファン室ＦＣ内への侵入を防止または抑制することができる。副排気孔２１ｃを通じて異物がハウジング内に侵入するのを阻止または抑制できるので、主排気孔２１ｂの他に副排気孔２１ｃが増設でき、小型のモータを使用したとしても排気効率を高めることができ、高出力の電動工具を提供できる。
【００４９】
右側ハウジング２Ａと左側ハウジング２Ｂは、樹脂モールド成形やアルミダイカスト成形等の金型で成形することとで、安価に製造できる。ここで、副排気孔２１ｃは、合せ面２ａに開口して形成されるので、合せ面２ａと直交する方向に金型の型抜きを行うことで、副排気孔２１ｃも容易に成形できる。
【００５０】
次に、本発明の第２の実施の形態によるインパクトドライバ１０１の構成について、図７に基づいて説明する。尚、第１の実施の形態と同一の部材については同一の番号を付し説明を省略し、異なる部分についてのみ説明する。
【００５１】
本発明の第２の実施の形態におけるインパクトドライバ１０１も第１の実施の形態と同様に、ハウジング１０２が左右に分割された右側ハウジングと左側ハウジングにより構成され、合せ面１０２ａにおいて副排気孔１２１ｃが形成されており、副排気孔１２１ｃの位置が遠心ファン５の半径方向外方であってハウジング１０２の上方であり、第１の実施の形態と同様な軸方向位置にて隔壁１２１Ａが内方に突出しており、その形状も同様である。しかし、副排気孔１２１ｃの折れ曲がり形状が第１の実施の形態と異なる。具体的には副排気孔１２１ｃは、ファン室ＦＣに開口し後方に傾斜する第１通路部分１２１ｃ１と、第１通路部分１２１ｃ１に接続され、前方に傾斜して外気に開口する第２通路部分１２１ｃ２とにより「くの字」状をなす。かかる構成によれば、異物の侵入を防ぐ効果に加えて、排気が作業者に向けられることがなく、また、前方の被作業部材側に残る埃等を除去させることが可能となる。なお１２１ａは吸気孔である。
【００５２】
図８は、本発明の第３の実施の形態におけるインパクトドライバ２０１を示す。この実施の形態の副排気孔２２１ｃは、図７に示す副排気孔１２１ｃの形状とは異なり、ファン室ＦＣに開口し半径方向外方に延びる第１通路部分２２１ｃ１と、第１通路部分２２１ｃ１に接続され、第１通路部分２２１ｃ１と直角に軸方向前方に延びる第２通路部分２２１ｃ２と、第２通路部分２２１ｃ２に接続され、後方に傾斜して延び外気に開口する第３通路部分２２１ｃ３とを有する。第２通路部分２２１ｃ２と第３通路部分２２１ｃ３とは鋭角で交差しているので、第１の実施の形態における副排気孔２１ａよりも、異物の侵入をより一層防止できる構造となっている。なお２０２はハウジング、２０２ａは合せ面、２２１Ａは隔壁である。
【００５３】
図９は、本発明の第４の実施の形態におけるインパクトドライバ３０１を示す。上述した実施の形態では、モータ４の前側に遠心ファン５が配置されているが、第４の実施の形態では、モータ４の後方に遠心ファン５が配置されている。
【００５４】
モータ４の前側にはモータ駆動回路装置７が配置され、図示せぬ吸気孔は、図９において、回転軸４１の先端とモータ駆動回路装置７の前端の間に位置するハウジング３０２の部分（ハウジング３０２を構成する右側ハウジング３０２Ａと図示せぬ左側ハウジングに）に形成されている。すなわち、モータ駆動回路装置７の側方に位置するハウジング３０２部分に形成されている。
【００５５】
そしてモータ室ＭＣとファン室ＦＣを仕切る隔壁３２１Ａが、モータ４の後方でハウジング３０２の内周面から半径方向内方に突出している。ここで隔壁３２１Ａの半径方向の長さは円周方向において一様ではなく、上部では短く下部では長く形成されている。また上述した実施の形態と同様に、隔壁３２１Ａの一部は、モータ４のファン５側の部分と回転軸４１方向において重なった位置に設けられている。具体的には、隔壁３２１Ａの厚さは、隔壁３２１Ａの内周面からハウジング３０２の内周面に近づくにつれて徐々にモータ室ＭＣ側に増加しており、ハウジング３０２内周面側の隔壁３２１Ａの部分が、モータ４のファン５側の部分と回転軸４１方向において重なった位置にある。かかる構成により、重なっている長さだけ、回転軸４１の軸方向における電動工具３０１の長さを短縮でき、小型の電動工具を提供できる。
【００５６】
図示せぬ主排気孔が遠心ファン５の半径方向外方位置においてハウジング３０２を構成する右側ハウジング３０２Ａと図示せぬ左側ハウジングに形成されている。また副排気孔３２１ｃがハウジング３０２の上下位置にそれぞれ形成されている。上述した実施の形態と同様に、副排気孔３２１ｃは合せ面３０２ａに形成されており、副排気孔３２１ｃの位置は遠心ファン５の半径方向外方である。またそれぞれの副排気孔３２１ｃは第１の実施の形態と同様な折れ曲がり形状をなす。本実施の形態においては、副排気孔３２１ｃをハウジング３０２の上下の位置に形成できるため、副排気孔３２１ｃの数が増え、排出効率をより一層高めることができる。なお、副排気孔３２１ｃの折れ曲がり形状については、第２乃至第３の実施の形態のような形状であってもよい。また、第１乃至第４の実施の形態において、副排気孔の形状は折れ曲がり形状に限らず、粉塵等がハウジング内に侵入し難い形状であれば排気孔の入口と出口との間の通路が曲がっていてもよい。
【符号の説明】
【００５７】
１：１０１、２０１、３０１  インパクトドライバ
２：１０２，２０２、３０２  ハウジング
２Ａ、３０２Ａ：右側ハウジング
２Ｂ：左側ハウジング
２ａ、１０２ａ，２０２ａ，３０２ａ：  合せ面
４：モータ
５：遠心ファン
２１：モータハウジング
２１ａ，１２１ａ，２２１ａ：吸気孔
２１ｃ：１２１ｃ、２２１ｃ、３２１ｃ：副排気孔
２１Ａ、１２１Ａ、２２１Ａ、３２１Ａ：隔壁
ＭＣ  モータ室
ＦＣ  ファン室
【図１】
2014117792.tif 000003
【図２】
2014117792.tif 000004
【図３】
2014117792.tif 000005
【図４】
2014117792.tif 000006
【図５】
2014117792.tif 000007
【図６】
2014117792.tif 000008
【図７】
2014117792.tif 000009
【図８】
2014117792.tif 000010
【図９】
2014117792.tif 000011